(57)【要約】【課題】スポッター、あるいはカードケースの取り付け、取り外しが容易であり、かつ確実に行うことができる価格表示具用スポッターあるいはカードケース取付具及び価格表示具を提供することを目的とするものである。【解決手段】価格表示具のプライスカードが表示される面とは反対側の面に取り付け可能とされた係留板部２と、この係留板部２から突設された底部５と、底部５から上方に連設された係留板部２の面に略並行な壁部６と、この壁部６から係留板部２面側に突設された係止片１５とを有する受け部とを備える。【選択図】図１
2012235817.tif 000002
【特許請求の範囲】
【請求項１】
価格表示具のプライスカードが表示される面とは反対側の面に取り付け可能とされた係留板部と、
前記係留板部から突設された底部と、該底部から上方に連設された前記係留板部の面に略並行な壁部と、該壁部から係留板部面側に突設された係止片とを有する受け部とを備える
価格表示具用スポッターあるいはカードケース取付具。
【請求項２】
前記係留板部の上端、あるいは下端のうち、少なくとも上端に沿って前記受け部とは逆側に突設された所定幅の庇部と、該庇部から前記係留板部の中央側に突設された突条部とを有する価格表示具に嵌め合わせ可能な嵌合部が形成された
請求項１に記載の価格表示具用スポッターあるいはカードケース取付具。
【請求項３】
前記受け部が係留板部の両側に配置されると共に、該係留板部の下端より上端に向けて前記受け部との間が切欠開口された
請求項１または請求項２に記載の価格表示具用スポッターあるいはカードケース取付具。
【請求項４】
商品のプライスカードが着脱自在に取り付け可能に構成された第１の面を有する価格表示具本体と、
該価格表示具本体の第１の面とは逆側の第２の面に設けられると共に、前記第２の面から突設された底部と、該底部から上方に連設された前記第２の面に略平行な壁部と、該壁部から第２の面側に突設された係止片とを有する受け部と、
前記第２の面に設けられると共に、所定の部材と接続可能、かつ、略鉛直線を回転軸として回動自在に構成される連結穴と、前記第１の面の向きが異なる複数の位置で所定の部材と上下方向に挿入可能とされた角度調整用溝部とを有する接続部とを備える
価格表示具。
【請求項５】
第１の面に取り付けられたレンズを備える
請求項４に記載の価格表示具。
【請求項６】
前記レンズは、移動することで前記第１の面を露出可能に構成された
請求項５に記載の価格表示具。
【請求項７】
前記レンズはカマボコ型レンズである
請求項５または請求項６に記載の価格表示具。
【発明の詳細な説明】
【技術分野】
【０００１】
本発明は価格表示具用スポッターあるいはカードケース取付具及び価格表示具に関する。詳しくは、価格表示具に取り付けられるスポッターあるいはカードケース用としての取付具及び商品陳列フックのホルダー棒の先端部に嵌着される価格表示具に係るものである。
【背景技術】
【０００２】
従来、この種の価格表示具として、例えば特許文献１に記載されたものが知られている。
具体的には、特許文献１に記載された価格表示具１１０は、図１３に示すように、表面に価格等の表示部１０１が形成され、その裏面の略中央部に筒状部１０２が固設されると共に弾発性を有する腕状片１０３が一体化されている。更に、腕状片１０３の上面の適宜個所に筒状部１０２に向って凹状溝１０４が複数個形成されることで筒状部１０２を支点として表示部１０１の角度を左右に変更可能な構成とされている。
【０００３】
上記した価格表示具１１０は、図１４に示すように、商品棚（図示せず）に取り付けられた商品陳列フックホルダー１０７に取り付けられる。
【０００４】
なお、商品陳列フックホルダー１０７は、商品陳列用フックバー１０６に嵌着されるフック係合部１０８と、商品１０９を吊り下げるフック棒１１３と、このフック棒１１３の上方に位置し、その先端が略直角状に折り曲げられた先端部１１１が形成されたホルダー棒１１２とから構成されている。
【０００５】
ここで、価格表示具１１０を商品陳列フックホルダー１０７に取り付ける場合には、ホルダー棒１１２の先端部１１１に筒状部１０２を嵌め入れる。そして、先端部１１１を支点として表示部１０１面の向きを適宜方向に調整した上で、凹状溝１０４にホルダー棒１１２を嵌め入れる。そうすることで、表示部１０１を任意角度において係留させることが可能となる。
【０００６】
ところで、価格表示具は、表示部にプライスカードを貼り付ける、あるいは差し込む等によって商品の価格を表示するものであるが、顧客の注意を引くために、価格表示具にスポッターやカードケースを取り付けることが行われている。
【０００７】
具体的には、スポッターを取り付ける場合には、例えばＰＯＰ紙を大きめに作成して、プライスカード紙を重ねて上部に飛び出すように取付けている。また、スポッターの代わりにＢ８カードケースを取り付ける場合もあり、その場合には、粘着テープで貼り付けたり、樹脂成型フックで表示部に引っ掛けたりしている。
【先行技術文献】
【特許文献】
【０００８】
【特許文献１】特開２００１−１８８４７０号公報
【発明の概要】
【発明が解決しようとする課題】
【０００９】
しかしながら、ＰＯＰ紙を大きめに作成して、プライスカード紙と重ねて上部に飛び出すようにスポッターを取り付ける場合には、取り付けたスポッターが取れやすく、かつ折れ曲がったり、破れたりしやすい。
【００１０】
また、スポッターの代わりにＢ８カードケースを取り付ける場合で、粘着テープで貼り付けを行うと、カードケースを取り外した場合に、糊跡が残り汚くなる。なお、フックによる取り付けの場合には、僅かな接触でスポッターが歪んだり、落下したりする。特に、上下左右に密接して商品陳列を行っている場合には、買い物客が接触し易く、より一層歪みや落下の頻度が高まる。
【００１１】
本発明は、以上の点に鑑みて創案されたものであって、スポッター、あるいはカードケースの取り付け、取り外しが容易であり、かつ確実に行うことができる価格表示具用スポッターあるいはカードケース取付具及び価格表示具を提供することを目的とするものである。
【課題を解決するための手段】
【００１２】
上記の目的を達成するために、本発明に係る価格表示具用スポッターあるいはカードケース取付具は、価格表示具のプライスカードが表示される面とは反対側の面に取り付け可能とされた係留板部と、前記係留板部から突設された底部と、該底部から上方に連設された前記係留板部の面に略並行な壁部と、該壁部から係留板部面側に突設された係止片とを有する受け部とを備える。
【００１３】
ここで、価格表示具のプライスカードが表示される面とは反対側の面に取り付け可能とされた係留板部によって、例えば、店舗で使用している既製の価格表示具に取り付けることが可能となる。
【００１４】
また、係留板部から突設された底部と、底部から上方に連設された係留板部の面に略並行な壁部と、壁部から係留板部面側に突設された係止片とを有する受け部によって、スポッター、あるいはカードケースを支持することができ、スポッター、あるいはカードケースを容易に取り付けたり、取り外したりすることが可能となる。なお、スポッターを取り付ける場合には、ＰＯＰ紙等を係止片と価格表示具のプライスカードが表示される面とは反対側の面との間に差し込むこととなる。
【００１５】
また、係留板部の上端、あるいは下端のうち、少なくとも上端に沿って価格表示具に嵌め合わせ可能な嵌合部が形成されることで、例えば、既製の価格表示具のプライスカードが表示される面とは反対側より、その上端及び下端に沿って嵌合部を嵌め合わせることができる。そして、このことで、価格表示具への着脱を容易に行うことが可能となる。
【００１６】
また、受け部が係留板部の両側に配置されると共に、係留板部の下端より上端に向けて受け部との間が切欠開口されていても良い。この様な構成とすることで、例えば、価格表示具のプライスカードが表示される面とは反対側より接続部が突設されている場合であっても、接続部を係留板部の受け部との間に挿し入れることで、価格表示具への取り付けを行うことが可能となる。
【００１７】
また、上記の目的を達成するために、本発明に係る価格表示具は、商品のプライスカードが着脱自在に取り付け可能に構成された第１の面を有する価格表示具本体と、該価格表示具本体の第１の面とは逆側の第２の面に設けられると共に、前記第２の面から突設された底部と、該底部から上方に連設された前記第２の面に略平行な壁部と、該壁部から第２の面側に突設された係止片とを有する受け部と、前記第２の面に設けられると共に、所定の部材と接続可能、かつ、略鉛直線を回転軸として回動自在に構成される連結穴と、前記第１の面の向きが異なる複数の位置で所定の部材と上下方向に挿入可能とされた角度調整用溝部とを有する接続部とを備える。
【００１８】
ここで、第２の面から突設された底部と、この底部から上方に連設された第２の面に略平行な壁部と、この壁部から第２の面側に突設された係止片とを有する受け部によって、スポッター、あるいはカードケースを支持することができ、スポッター、あるいはカードケースを容易に取り付けたり、取り外したりすることが可能となる。なお、スポッターを取り付ける場合には、ＰＯＰ紙等を係止片と第２の面との間に差し込むこととなる。
【００１９】
また、底部から上方に壁部が連設され、壁部から係止片が突設することで受け部が構成されている。換言すると、受け部の上方は開口状に構成されている。受け部がこうした構成を採用することによって、ＰＯＰ紙等のスポッターを価格表示具本体の上方から差し込むことが可能となり、ＰＯＰ紙等のスポッターを容易に取り付けたり、取り外したりすることが可能となる。
【００２０】
また、第２の面側に突設された係止片によって、ＰＯＰ紙等のスポッターのズレや落下を有効に抑止することが可能となる。即ち、受け部で支持するＰＯＰ紙等に穴を設け、こうした穴に係止片を嵌め合わせた状態とすることで、ＰＯＰ紙等のズレや落下を有効に抑止することができるのである。
【００２１】
また、第２の面に設けられると共に、所定の部材（例えば、ホルダー棒）と接続可能、かつ、略鉛直線を回転軸として回動自在に構成される連結穴と、第１の面の向きが異なる複数の位置で所定の部材と上下方向に挿入可能とされた角度調整用溝部とを有する接続部によって、第１の面の向きを適宜変更することが可能となる。そのため、顧客目線、あるいはプライスカードの重なりを防ぐ様に、第１の面の傾斜角度を調整することができる。
【００２２】
更に、上下方向に挿入可能とされる角度調整用溝部内に所定の部材が嵌め入れられることで、例えば顧客の手がＰＯＰ紙等のスポッターに対して横方向から当たった場合でも、角度調整用溝部内に所定の部材が外れることなく第１の面の傾斜角度を維持することができる。
【００２３】
ここで、第１の面にレンズが取り付けられた場合には、プライスカードに表示された価格等の文字の視認性を向上することができる。
例えば、商品が小物の場合には、プライスカードが小さくならざるを得ず、結果としてプライスカードに表示された価格等を視認し難いといったことが考えられる。そのため、第１の面にレンズを取り付けることで、プライスカードに表示された価格等の文字を拡大表示することが可能となり、視認性を向上することが可能となるのである。
【００２４】
ところで、商品の在庫数量等を管理するために、プライスカードには価格表示の近辺にバーコードが表示されていることが多く、商品補充の際には、バーコードを読み取る必要が生じることがある。この様な場合に、第１の面にレンズが取り付けられたままの状態では、バーコードを読み取ることができない場合がある。そのため、レンズを移動可能に構成し、レンズを移動して第１の面を露出することができる様に構成することによって、バーコードの読み取りを容易かつ確実に行うことが可能となる。
なお、レンズの移動方法としては、水平方向にスライドさせる方法や、軸回転により上方に移動させる方法等が挙げられる。
【００２５】
また、レンズはカマボコ型凸レンズとすることで、火災等の事故を抑制することができる。
即ち、商品陳列の都合上、価格表示具に太陽光が当たる状況も充分に考えられ、例えば、球面状の凸レンズ等は、入射光の焦点が集中し、プライスカードが焼けてしまうといった危険性を完全に否定することができない。これに対して、カマボコ型凸レンズの場合には、入射光の焦点が一箇所に集中することがなく、上述の通り、火災等の事故を抑制することができるのである。
【発明の効果】
【００２６】
本発明の価格表示具用スポッターあるいはカードケース取付具によれば、既製の価格表維持具に対して容易に取り付け、取り外しを行うことができると共に、スポッターあるいはカードケースの取り付けを容易、かつ確実に行うことが可能となる。
【００２７】
また、本発明の価格表示具によれば、スポッターあるいはカードケースの取り付け、取り外しを容易、かつ確実に行うことが可能となる。
【図面の簡単な説明】
【００２８】
【図１】本発明を適用した価格表示具用スポッターあるいはカードケース取付具の一例を説明するための正面からの立体模式図である。
【図２】本発明を適用した価格表示具用スポッターあるいはカードケース取付具の一例を説明するための背面からの立体模式図である。
【図３】本発明を適用した価格表示具用スポッターあるいはカードケース取付具の価格表示具への取り付け状態を説明するための模式図である。
【図４】本発明を適用した価格表示具用スポッターあるいはカードケース取付具にスポッターを取り付けた状態の一例を説明するための模式図である。
【図５】本発明を適用した価格表示具の一例を説明するための立体模式図である。
【図６】本発明を適用した価格表示具の一例を説明するための正面模式図である。
【図７】本発明を適用した価格表示具の一例を説明するための側面模式図である。
【図８】本発明を適用した価格表示具の一例を説明するための背面模式図である。
【図９】本発明を適用した価格表示具の一例の使用状態の一例を説明するための模式図である。
【図１０】本発明を適用した価格表示具にスポッターを取り付けた状態の一例を説明するための模式図である。
【図１１】本発明を適用した価格表示具の他の例を説明するための模式図である。
【図１２】本発明を適用した価格表示具の他の例の使用状態の一例を説明するための模式図である。
【図１３】従来の価格表示具の一例を説明するための模式図である。
【図１４】従来の価格表示具にスポッターを取り付けた状態の一例を説明するための模式図である。
【発明を実施するための形態】
【００２９】
以下、本発明の実施の形態を図面を参酌しながら説明し、本発明の理解に供する。
【００３０】
＜第１の実施の形態＞
図１は本発明を適用した価格表示具用スポッターあるいはカードケース取付具の一例を説明するための正面からの立体模式図、図２は本発明を適用した価格表示具用スポッターあるいはカードケース取付具の一例を説明するための背面からの立体模式図である。
【００３１】
ここで示す価格表示具用スポッターあるいはカードケース取付具１には、ＡＢＳ樹脂を始め、ポリプロピレン樹脂やポリスチレン樹脂、ポリカーボネイト樹脂などの合成樹脂素材が用いられている。なお、価格表示具用スポッターあるいはカードケース取付具１は、例えば、射出成型機等を利用した一体成型で製造することができる。
【００３２】
ここで、係留板部２は、価格表示具（図示せず。）のプライスカードを取り付ける面と略同じ大きさに形成されている。
【００３３】
更に、係留板部２の第１の面３は価格表示具のプライスカードを取り付ける面と反対側の面に接すると共に、上下方向の略中央の両側位置には、係留板部２を貫通する窓部８が開設されている。
【００３４】
そして、この窓部８より第２の面７（第２の面７は第１の面３の逆側面である）側に、係留板部２の第２の面７と一定間隔を設けて受け部９が取り付けられている。
【００３５】
この受け部９は、底部５、壁部６及び係止片１５から構成されている。底部５は窓部８の下端から係留板部２の第２の面７側に突設形成されており、この底部５と連設して壁部６が設けられ、壁部６は第２の面７と一定間隔を隔てている。
【００３６】
更に、壁部６の上端より第２の面７に向けて係止片１５が突設形成されている。なお、第２の面７と係止片１５との間隙は、二つ折りしたＰＯＰ紙が挿入可能な程度に構成されている。
【００３７】
なお、本実施例では係留板部２の略中央の両側位置に窓部８を設けた場合を例に挙げて説明を行っているが、こうした窓部８は必ずしも設ける必要性はなく、例えば、窓部８を設けることなく係留板部２の第２の面７に受け部９を設けても構わない。
【００３８】
また、係留板部２の下端より上端に向けて受け部９、９との間に切欠開口部１０が開設されている。
【００３９】
また、係留板部２の上端及び下端には受け部９とは逆側に係留板部２と略直角状に突設された所定幅の庇部１１と、この庇部１１の先端から係留板部２の中央側に略直角状に突設された突条部１２とを有する嵌合部１３が形成されている。
【００４０】
ここで、所定幅の庇部１１とは既製の価格表示具のプライスカードが取り付けられる価格表示具本体（図示せず。）の厚さ以上の幅長さとされる。
【００４１】
更に、係留板部２の第１の面３の略中央両側には、所定厚さとされた押圧部１４が突設されている。
【００４２】
なお、本実施例では係留板部２の上端及び下端に嵌合部１３を設けた場合を例に挙げて説明を行っているが、必ずしも上端及び下端に設ける必要性はなく、例えば上端のみに嵌合部１３を設けても構わない。
【００４３】
また、価格表示具のプライスカードが取り付けられる価格表示具本体に係留できる機構として嵌合部に限定する必要性はなく、価格表示具本体に係留できる機構のものであればいかなる機構であっても構わない。
【００４４】
以上の構成よりなる本発明の価格表示具用スポッターあるいはカードケース取付具１は、図３に示すように、価格表示具Ｈに取り付けられる。
【００４５】
ここで、価格表示具Ｈは、例えば、その表面側にプライスカード等の取り付けを行えるようにした価格表示具本体Ｉと、この価格表示具本体Ｉの裏面側に連設された接続部Ｊとから構成されている。
【００４６】
このような構成の価格表示具Ｈの価格表示具本体Ｉの裏面側に係留板部２の切欠開口部１０を価格表示具本体Ｉの裏面側に連設された接続部Ｊに挿し入れるようにして押し当てる。
【００４７】
そして、係留板部２の上下端に沿って設けられている嵌合部１３を価格表示具本体Ｉの上下端に嵌め入れることで係留板部２が価格表示具本体Ｉの裏面側に取り付けられる。更に、係留板部２の押圧部（図示せず。）で価格表示具本体Ｉの裏面が常に押圧する付勢力が作用することで係留板部２が強固に係着することになる。
【００４８】
このようにして、価格表示具Ｈに価格表示具用スポッターあるいはカードケース取付具１を取り付けることで、価格表示具本体Ｉの裏面側に係留板部２の受け部９が配置された状態となる。
【００４９】
図４（図４（イ）は本発明を適用した価格表示具用スポッターあるいはカードケース取付具に取り付けるスポッターの一例を説明するための模式図、図４（ロ）は本発明を適用した価格表示具用スポッターあるいはカードケース取付具にスポッターを取り付けた状態の一例を説明するための模式図である。）は本発明を適用した価格表示具用スポッターあるいはカードケース取付具の使用状態の一例を説明するための模式図である。
【００５０】
ここで、折返し前（図示せず。）のスポッターＢは、Ｂ８形状のＰＯＰ紙の上部に、例えば「新商品」なる広告文字が記載されている。更にＰＯＰ紙の中央よりも下方位置（広告文字とは反対側位置）に折返し線Ｇが設けられ、この折返し線Ｇの略中央に接続部Ｊが挿入可能となる挿入切欠部Ｃが開口されている。更に、この挿入切欠部Ｃの両側には、受け部９の係止片１９が係留可能な係留穴Ｆが折返し線Ｇを挟んで同位置（線対称位置）にそれぞれ２個ずつ開口されている。
【００５１】
このように構成されたスポッターＢを「新商品」を表示した面から後方に折返し線Ｇより折り曲げて重ねることで、折返し線Ｇの両側に係止片１５が係留可能な係留穴Ｆが一体となって開口されることとなる。
【００５２】
そして、挿入切欠部Ｃに接続部Ｊを挿入した状態で、係留板部２の第２の面７と係止片１５との間にスポッターＢを差し入れる。なお、係止片１５をスポッターＢの係留穴Ｆに差し込む。
この場合に、ＰＯＰ紙の２枚の開放端が開こうとする付勢力により、スポッターＢの係留穴Ｆに受け部９の係止片１５が嵌め入れられた状態でスポッターＢが受け部９の壁部６と第２の面７に押圧されることとなり、確実にスポッターＢを取り付けることが可能となる。
【００５３】
また、ＰＯＰ紙の折返しを後方とすることで「新商品」と表現したＰＯＰ紙が前方位置に配置されることとなり、顧客の目線により近づくことになる。このことにより、より一層の商品のアピールを行うことができる。
【００５４】
なお、本実施例ではＰＯＰ紙の折返しを後方とした場合を詳述するものであるが、これに限定する必要性は無く、例えばＰＯＰ紙の折返しを前方とする場合でも良く、また、更なる変形例としてＰＯＰ紙を折返さない場合でも良い。
【００５５】
しかし、顧客に一層の商品のアピールを行うことができる点を考慮した場合には、ＰＯＰ紙の折返しを後方とすることが望ましい。
【００５６】
上述の様に、本発明を適用した価格表示具用スポッターあるいはカードケース取付具は、既製の価格表示具に対して、容易、かつ確実に取り付け、あるいは取り外しを行うことが可能となる。
【００５７】
また、スポッターの取り付けが糊等の貼り付けによらず容易に取り付けることができ、かつ、取り外しの際にも糊等の付着で汚すことなく容易に取り外すことが可能となる。
【００５８】
＜第２の実施の形態＞
図５は本発明を適用した価格表示具の一例を説明するための立体模式図、図６は本発明を適用した価格表示具の一例を説明するための正面模式図、図７は本発明を適用した価格表示具の一例を説明するための側面模式図、図８は本発明を適用した価格表示具の一例を説明するための背面模式図である。
【００５９】
ここで示す価格表示具２１には、ＡＢＳ樹脂を始め、ポリプロピレン樹脂やポリスチレン樹脂、ポリカーボネイト樹脂などの合成樹脂素材が用いられている。なお、価格表示具２１は、例えば、射出成型機等を利用した一体成型で製造することができる。
【００６０】
ここで、例えば、横長さが４５ｍｍ、縦長さが３３ｍｍの大きさとした価格表示具本体２２の第１の面２３には、プライスカード等の取り付けを行えるように、両側端に沿って突条片２４が形成されている。
【００６１】
また、価格表示具本体２２の第１の面２３の下端の略中央には、一定長さのカード受け部２５が突設形成されている。
【００６２】
更に、価格表示具本体２２の上端の略中央には、プライスカード等を剥がす必要のある場合に掴み易く、あるいは剥がし易くするために、半円形状の切欠部２６が形成されている。
【００６３】
また、価格表示具本体２２の上下方向の略中央の両側位置には、価格表示具本体２２を貫通する窓部２８が開設されている。そして、この窓部２８より第２の面２７（第２の面は第１の面２３の逆側面である）側に、価格表示具本体２２の第２の面２７と一定間隔を設けて受け部２９が取付けられている。
【００６４】
この受け部２９は、底部４０、壁部４１及び係止片３９から構成されている。底部４０は窓部２８の下端から価格表示具本体２２の第２の面２７側に突設形成されており、この底部４０と連設して壁部４１が設けられ、壁部４１は第２の面２７と一定間隔を隔てている。更に、壁部４１の上端より第２の面２７に向けて係止片３９が突設形成されている。なお、第２の面２７と係止片３９との間隙４２は、二つ折りしたＰＯＰ紙が挿入可能な程度に構成されている。
【００６５】
なお、本実施例では価格表示具本体２２の略中央の両側位置に窓部２８を設けた場合を例に挙げて説明を行っているが、こうした窓部２８は必ずしも設ける必要性はなく、例えば、窓部２８を設けることなく価格表示具本体２２の第２の面２７に受け部２９を設けても構わない。
【００６６】
また、価格表示具本体２２の第２の面２７の略中央、即ち両側に配置された受け部２９との間に接続部３０が取り付けられている。
【００６７】
ここで、接続部３０は、第２の面２７に対して略直角状に突設されると共に、その上面に連結用貫通穴３１が開口されたホルダー棒嵌着部３２と、このホルダー棒嵌着部３２に一体的に延設された角度調整用ホルダー棒支持部３３とから構成されている。
【００６８】
また、図７に示すように、ホルダー棒嵌着部３２の連結用貫通穴３１は、先端が上向きに略直角状に折り曲げ形成されたホルダー棒Ａの先端が挿入可能な内径とされている。
【００６９】
更に、図８に示すように、角度調整用ホルダー棒支持部３３には、価格表示具本体２２の第２の面２７に対してホルダー棒Ａが略直角状となる位置でホルダー棒Ａを係止する係留溝部３４が形成されている。
【００７０】
また、角度調整用ホルダー棒支持部３３には、価格表示具本体２２の第２の面２７とホルダー棒Ａとの間の角度が略直角ではない角度（係留溝部３４でホルダー棒Ａを係止した場合とは異なる角度）でホルダー棒Ａを係止する角度調整用溝部３４Ａ、３４Ｂが形成されている。
【００７１】
これらの係留溝部３４及び角度調整用溝部３４Ａ、３４Ｂは角度調整用ホルダー棒支持部３３の下端が開口されており、ホルダー棒Ａを下端より上方に挿し入れる構成とされている。
【００７２】
ここで、ホルダー棒Ａの先端がホルダー棒嵌着部３２の連結用貫通穴３１に挿通されると共に、ホルダー棒Ａのコーナー手前の直線部分が係留溝部３４及び角度調整用溝部３４Ａ、３４Ｂのいずれかで係止されることで、ホルダー棒Ａが角度調整用ホルダー棒支持部３３に固定連結されることとなる。
【００７３】
また、係留溝部３４及び角度調整用溝部３４Ａ、３４Ｂを適宜使い分けることで、価格表示具本体２２の向きを調整することが可能となる。
【００７４】
以上の構成よりなる本発明の価格表示具２１は、図９に示すように、商品棚（図示せず。）に取り付けられる商品陳列フックホルダーＤのホルダー棒Ａの先端に取り付けられる。
【００７５】
この商品陳列フックホルダーＤは、商品（図示せず。）を吊り下げるフック棒Ｅと、このフック棒Ｅの上方に位置し、その先端が略直角状に折り曲げられたホルダー棒Ａとから構成されている。
【００７６】
このような構成の商品陳列フックホルダーＤのホルダー棒Ａの先端に、価格表示具２１の接続部３０のホルダー棒嵌着部３２の連結用貫通穴３１を嵌め入れる。続いて、角度調整用ホルダー棒支持部３３の係留溝部３４及び角度調整用溝部３４Ａ、３４Ｂのいずれかにホルダー棒Ａを嵌め入れて、ホルダー棒Ａの先端に価格表示具本体２２を任意の角度で取り付ける。
【００７７】
更に、価格表示具本体の第１の面３にバーコードが印刷されたプライスカードを貼り付ける、あるいはクリップ等で取り付ける。
【００７８】
図１０（図１０（イ）は本発明を適用した価格表示具に取り付けるスポッターの一例を説明するための模式図、図１０（ロ）は本発明を適用した価格表示具にスポッターを取り付けた状態の一例を説明するための模式図である。）は本発明を適用した価格表示具の使用状態の一例を説明するための模式図である。
【００７９】
ここで、折返し前（図示せず。）のスポッターＢは、Ｂ８形状のＰＯＰ紙の上部に、例えば「新商品」なる広告文字が記載されている。更にＰＯＰ紙の中央よりも下方位置（広告文字とは反対側位置）に折返し線Ｇが設けられ、この折返し線Ｇの略中央に接続部３０のホルダー棒嵌着部３２が挿入可能となる挿入切欠部Ｃが開口されている。更に、この挿入切欠部Ｃの両側には、受け部２９の係止片３９が係留可能な係留穴Ｆが折返し線Ｇを挟んで同位置（線対称位置）にそれぞれ２個ずつ開口されている。
【００８０】
このように構成されたスポッターＢを「新商品」を表示した面から後方に折返し線Ｇより折り曲げて重ねることで、折返し線Ｇの両側に係止片３９が係留可能な係留穴Ｆが一体となって開口されることとなる。
【００８１】
そして、挿入切欠部Ｃに接続部３０のホルダー棒嵌着部３２を挿入した状態で、価格表示具２２の第２の面２７と係止片３９との間にスポッターＢを差し入れる。なお、係止片３９をスポッターＢの係留穴Ｆに差し込む。
この場合に、ＰＯＰ紙の２枚の開放端が開こうとする付勢力により、スポッターＢの係留穴Ｆに受け部２９の係止片３９が嵌め入れられた状態でスポッターＢが受け部２９の壁部４１と第２の面２７に押圧されることとなり、確実にスポッターＢを取り付けることが可能となる。
【００８２】
また、ＰＯＰ紙の折返しを後方とすることで「新商品」と表現したＰＯＰ紙が前方位置に配置されることとなり、顧客の目線により近づくことになる。このことにより、より一層の商品のアピールを行うことができる。
【００８３】
なお、本実施例ではＰＯＰ紙の折返しを後方とした場合を詳述するものであるが、これに限定する必要性は無く、例えばＰＯＰ紙の折返しを前方とする場合でも良く、また、更なる変形例としてＰＯＰ紙を折返さない場合でも良い。
【００８４】
しかし、顧客に一層の商品のアピールを行うことができる点を考慮した場合には、ＰＯＰ紙の折返しを後方とすることが望ましい。
【００８５】
上述の様に、本発明を適用した価格表示具は、スポッターの取り付けが糊等の貼り付けによらず容易に取り付けることができ、かつ、取り外しの際にも糊等の付着で汚すことなく容易に取り外すことが可能となる。
【００８６】
＜第３の実施の形態＞
図１１（図１１（イ）は本発明を適用した価格表示具の他の例を説明するための正面模式図、図１１（ロ）は本発明を適用した価格表示具の他の例を説明するための側面模式図である。）は本発明を適用した価格表示具の他の例を説明するための模式図である。
【００８７】
ここで示す価格表示具２１には、ＡＢＳ樹脂を始め、ポリプロピレン樹脂やポリスチレン樹脂、ポリカーボネイト樹脂などの合成樹脂素材が用いられている。なお、価格表示具２１は、例えば、射出成型機等を利用した一体成型で製造することができる。
【００８８】
ここで、例えば、横長さが４５ｍｍ、縦長さが３３ｍｍの大きさとした価格表示具本体２２Ａの第１の面２３には、プライスカード等の取り付けを行えるように、両側端に沿って突条片２４が形成されている。
【００８９】
また、価格表示具本体２２Ａの第１の面２３の下端の略中央には、一定長さのカード受け部２５が突設形成されている。
【００９０】
更に、価格表示具本体２２Ａの上端の略中央には、プライスカード等を剥がす必要のある場合に掴み易く、あるいは剥がし易くするために、半円形状の切欠部２６が形成されている。
【００９１】
また、価格表示具本体２２Ａの上下方向の略中央の両側位置には、価格表示具本体２２Ａを貫通する窓部２８が開設されている。そして、この窓部２８より第２の面２７（第２の面は第１の面２３の逆側面である）側に、価格表示具本体２２Ａの第２の面２７と一定間隔を設けて受け部２９が取付けられている。
【００９２】
この受け部２９は、底部４０、壁部４１及び係止片３９から構成されている。底部４０は窓部２８の下端から価格表示具本体２２Ａの第２の面２７側に突設形成されており、この底部４０と連設して壁部４１が設けられ、壁部４１は第２の面２７と一定間隔を隔てている。更に、壁部４１の上端より第２の面２７に向けて係止片２９が突設形成されている。なお、第２の面２７と係止片３９との間隙は、二つ折りしたＰＯＰ紙が挿入可能な程度に構成されている。
【００９３】
また、価格表示具本体２２Ａの第１の面２３には、カマボコ型凸レンズ部３５が取り付けられている。
【００９４】
このカマボコ型レンズ部３５は、価格表示具本体２２Ａの第１の面２３に取り付けられるプライスカード（図示せず。）を覆うことができる大きさとされ、その上下端より中央に向けて凸状のカマボコ型に形成されている。
【００９５】
また、カマボコ型凸レンズ部３５の両側端の上部には枢支用孔部３６が穿孔されている。更に、カマボコ型凸レンズ部３５はレンズ支持腕部３８が形成されており、レンズ支持腕部３８に設けられた連結用突起部３７が枢支用孔部３６に挿入されている。
【００９６】
このような構成のカマボコ型凸レンズ部３５では、レンズ支持腕部３８を価格表示具本体２２Ａの両側端の上部に取付けることで第１の面２３をカマボコ型凸レンズ部３５で覆った状態となる。
【００９７】
ここで、枢支用孔部３６に挿入された連結用突起部３７が回動自在に構成されることによって、カマボコ型凸レンズ部３５を価格表示具本体２２Ａの上方に移動せしめることが可能となる（図１２参照）。なお、カマボコ型凸レンズ部３５を価格表示具本体２２Ａの上方に移動することで、第１の面２３をカマボコ型凸レンズ部３５で覆った状態から第１の面２３を露出状態にすることができる。
【００９８】
また、カマボコ型凸レンズ部３５の取り付け機構としては、本実施の形態において詳述した機構に限定する必要性は無く、スポッターを取り付けた状態でカマボコ型凸レンズ部３５を開閉できる、あるいは着脱できる機構であればいかなる取付け機構であっても構わない。
【００９９】
更に、カマボコ型凸レンズ部３５が開閉できるレンズカバーをワンタッチ方式で価格表示具本体２２Ａに取り付けられる構成とすることによって、拡大表示が必要な時に容易に取付けることができ、更には、カマボコ型凸レンズ部３５のみを既製の価格表示具に適用することも可能となる。
【０１００】
また、価格表示具本体２２Ａの第２の面２７の略中央、即ち両側に配置された受け部２９との間に接続部３０が取り付けられている。
【０１０１】
ここで、接続部３０は、第２の面２７に対して略直角状に突設されると共に、その上面に連結用貫通穴３１が開口されたホルダー棒嵌着部３２と、このホルダー棒嵌着部３２に一体的に延設された角度調整用ホルダー棒支持部３３とから構成されている（図５参照）。
【０１０２】
また、前記図７において示すように、ホルダー棒嵌着部３２の連結用貫通穴３１は、先端が上向きに略直角状に折り曲げ形成されたホルダー棒Ａの先端が挿入可能な内径とされている。
【０１０３】
更に、角度調整用ホルダー棒支持部３３には、価格表示具本体２２Ａの第２の面２７に対してホルダー棒Ａが略直角状となる位置でホルダー棒Ａを係止する係留溝部３４が形成されている。なお、係留溝部３４はホルダー棒Ａが着脱自在に構成されている。
【０１０４】
また、角度調整用ホルダー棒支持部３３には、価格表示具本体２２Ａの第２の面２７とホルダー棒Ａとの間の角度が略直角ではない角度（係留溝部３４でホルダー棒Ａを係止した場合とは異なる角度）でホルダー棒Ａを係止する角度調整用溝部３４Ａ、３４Ｂが形成されている。
【０１０５】
これらの係留溝部３４及び角度調整用溝部３４Ａ、３４Ｂは角度調整用ホルダー棒支持部３３の下端が開口されており、ホルダー棒Ａを下端より上方に挿し入れる構成とされている。
【０１０６】
ここで、ホルダー棒Ａの先端がホルダー棒嵌着部３２の連結用貫通穴３１に挿通されると共に、ホルダー棒Ａのコーナー手前の直線部分が係留溝部３４及び角度調整用溝部３４Ａ、３４Ｂのいずれかで係止されることで、ホルダー棒Ａが角度調整用ホルダー棒支持部３３に固定連結されることとなる。
【０１０７】
また、係留溝部３４及び角度調整用溝部３４Ａ、３４Ｂを適宜使い分けることで、価格表示具本体２２Ａの向きを調整することが可能となる。
【０１０８】
以上の構成よりなる本発明の価格表示具２１では、第１の面２３上にバーコードが印刷されたプライスカードＤを取り付ける。
【０１０９】
なお、第１の面２３上にプライスカードＤを取り付ける場合には、カマボコ型凸レンズ部３５を付けた状態でプライスカードＤを取り付ける、あるいはカマボコ型凸レンズ部３５を上方に回動させて第１の面２３を露出させた状態でプライスカードＤを取り付ける。更には、第１の面２３にプライスカードＤを取り付けた後にカマボコ型凸レンズ部３５を取り付けることが考えられるものであり、状況に応じて最も適したプライスカードの取り付け行うことができる。
【０１１０】
なお、スポッターの取り付けについては、上記した第２の実施の形態と同様である。
【０１１１】
本発明を適用した価格表示具は、スポッターの取り付けが糊等の貼り付けによらず容易に取り付けることができ、かつ、取り外しの際にも糊等の付着で汚すことなく容易に取り外すことが可能となる。
【０１１２】
また、価格表示具本体２２Ａの第１の面２３上にプライスカードＤをカマボコ型凸レンズ部３５で覆うことによって、プライスカードＤに記載された金額や商品名等を拡大表示することが可能となる。
【０１１３】
また、第１の面に取り付けられるレンズを通常の凸レンズではなく、カマボコ型凸レンズ部とすることで太陽光等の入射による焦点が一箇所に集中せずにプライスカードが焼けてしまうという不具合を抑制することが可能となる。
【０１１４】
更に、プライスカードＤに記載されたバーコードを読み取る場合には、カマボコ型凸レンズ部３５を上方へ回動することで容易にプライスカードＤを露出させてバーコードを読み取ることが可能となる。
【符号の説明】
【０１１５】
１        価格表示具用スポッターあるいはカードケース取付具
２        係留板部
３、２３  第１の面
５、４０  底部
６、４１  壁部
７、２７  第２の面
８、２８  窓部
９、２９  受け部
１０      切欠開口部
１１      庇部
１２      突条部
１３      嵌合部
１４      押圧部
１５、３９  係止片
２１      価格表示具
２２、２２Ａ  価格表示具本体
２４          突条片
２５          カード受け部
２６          切欠部
３０          接続部
３１          連結用貫通穴
３２          ホルダー棒嵌着部
３３          角度調整用ホルダー支持部
３４          係留溝部
３４Ａ、３４Ｂ  角度調整用溝部
３５          カマボコ型凸レンズ部
３６          枢支用孔部
３７          連結用突起部
３８          レンズ支持腕部
４２          間隙
【図１】
2012235817.tif 000003
【図２】
2012235817.tif 000004
【図３】
2012235817.tif 000005
【図４】
2012235817.tif 000006
【図５】
2012235817.tif 000007
【図６】
2012235817.tif 000008
【図７】
2012235817.tif 000009
【図８】
2012235817.tif 000010
【図９】
2012235817.tif 000011
【図１０】
2012235817.tif 000012
【図１１】
2012235817.tif 000013
【図１２】
2012235817.tif 000014
【図１３】
2012235817.tif 000015
【図１４】
2012235817.tif 000016